【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
第１のデバイスによって実施される方法であって、
信号を受信することであって、前記信号は、放送波を経由したチャンネルで放送されるオーディオ、ビデオ、およびデータコンテンツのうちの少なくとも１つを含む、前記受信することと、
プロセッサーを使用して、前記受信した信号の一部分に誤りが存在するかどうかを判定することと、
前記受信した信号に誤りが存在すると判定された場合、通信ネットワークを通じて第２のデバイスに要求を送信することであって、前記第２のデバイスは、前記第１のデバイスに前記通信ネットワークを通じて接続されており、前記信号を受信もし、前記要求は、前記第２の受信機から送られるべき前記信号の一部分を特定するものである、前記送信することと、
前記受信した信号の前記一部分を、前記第２のデバイスから送られる前記信号の前記一部分と置き換えることと、
を含む、前記方法。
【請求項２】
前記通信ネットワークを経由して前記第２のデバイスに対して通信リンクを形成することであって、前記第２のデバイスは、前記放送信号を受信することが可能である、前記形成することをさらに備えた、請求項１に記載の方法。
【請求項３】
前記第２のデバイスが前記放送チャンネルを受信するのに利用可能かどうかを判定することをさらに備える、請求項２に記載の方法。
【請求項４】
前記放送チャンネルを受信するのに利用可能であると判定された前記第２のデバイスに応答して、前記放送チャンネルに同調してそれを受信することを求める要求を前記第２のデバイスに送信することをさらに備える、請求項３に記載の方法。
【請求項５】
前記第２のデバイスは、別の方法を使用して前記放送チャンネルを受信する、請求項１に記載の方法。
【請求項６】
前記別の方法は、別のアンテナを使用することを含む、請求項５に記載の方法。
【請求項７】
前記一部分は、データのパケットである、請求項１に記載の方法。
【請求項８】
前記通信ネットワークは、ホームワイヤレスネットワークである、請求項１に記載の方法。
【請求項９】
前記通信ネットワークは、イーサネットプロトコルおよびＭｕｌｔｉｍｅｄｉａ  ｏｖｅｒ  Ｃａｂｌｅ  Ａｌｌｉａｎｃｅプロトコルのうちの少なくとも１つを使用する、請求項１に記載の方法。
【請求項１０】
前記第２のデバイスは、前記第１のデバイスが位置付けられているユーザの家の外側に位置付けられる、請求項１に記載の方法。
【請求項１１】
前記第１のデバイスは、現在観賞されている第１のテレビジョンであり、前記第２のデバイスは、現在観賞されていない第２のテレビジョンである、請求項１に記載の方法。
【請求項１２】
請求項１に記載の前記方法をコンピュータに実施させるコンピュータ可読プログラムが保存されたコンピュータ可読記憶媒体。
【請求項１３】
信号を受信するための受信機回路であって、前記信号は、オーディオ、ビデオ、およびデータコンテンツのうちの少なくとも１つを含み、前記信号は、放送波を経由したチャンネルで放送される、前記受信機回路と、
前記受信機回路に結合されたロス検出器および置換器であって、前記受信した信号の一部分に誤りが存在するかどうかを判定する、前記ロス検出器および置換器と、
前記ロス検出器および置換器に結合された送受信機回路であって、前記受信した信号内に誤りが存在すると判定された場合、通信ネットワークを通じてデバイスに要求を送信し、前記要求は、前記デバイスから送られるべき前記信号の一部分を特定するものである、前記送受信機回路と、
を備えた装置であって、
前記ロス検出器および置換器は、前記受信した信号の前記一部分を、前記デバイスから送られる前記信号の前記一部分と置き換える、前記装置。
【請求項１４】
前記送受信機回路は、前記通信ネットワークを経由して前記デバイスに対して通信リンクを形成し、前記デバイスは、前記信号を受信することが可能である、請求項１３に記載の装置。
【請求項１５】
前記デバイスが前記信号を受信するのに利用可能かどうかを判定するプロセッサーをさらに備える、請求項１４に記載の装置。
【請求項１６】
前記送受信機回路は、前記デバイスが前記信号を受信するのに利用可能であるという判定に応答して、前記信号に同調してそれを受信することを求める要求を前記デバイスに送信する、請求項１５に記載の装置。
【請求項１７】
前記デバイスは前記信号を、前記装置とは別の方式で受信する、請求項１３に記載の装置。
【請求項１８】
前記デバイスは前記信号を、別のアンテナを使用して受信する、請求項１７に記載の装置。
【請求項１９】
前記一部分は、データのパケットである、請求項１３に記載の装置。
【請求項２０】
前記通信ネットワークは、ホームワイヤレスネットワークである、請求項１３に記載の装置。
【請求項２１】
前記通信ネットワークは、イーサネットプロトコルおよびＭｕｌｔｉｍｅｄｉａ  ｏｖｅｒ  Ｃａｂｌｅ  Ａｌｌｉａｎｃｅプロトコルのうちの少なくとも１つを使用する、請求項１３に記載の装置。
【請求項２２】
前記第２のデバイスは、前記第１のデバイスが位置付けられているユーザの家の外側に位置付けられる、請求項１３に記載の装置。
【請求項２３】
前記装置は、現在観賞されている第１のテレビジョンであり、前記デバイスは、現在観賞されていない第２のテレビジョンである、請求項１３に記載の装置。
【請求項２４】
通信ネットワークを通じて第１のデバイスに接続された第２のデバイスによって実施される方法であって、
前記第１のデバイスから、信号を受信することを求める第１の要求を受信することであって、前記信号は、オーディオ、ビデオ、およびデータコンテンツのうちの少なくとも１つを含む、前記受信することと、
前記第１のデバイスから第２の要求を受信することであって、前記要求は、前記第２のデバイスが前記第１のデバイスに、前記第１のデバイスによって受信されている間に前記第１のデバイスによって受信誤りがあると判定された、前記受信した信号の一部分を送信することを求めるものであり、前記第１のデバイスは、放送波を経由したチャンネルで放送される前記信号を受信する、前記受信することと、
前記第１のデバイスによって前記受信誤りがあると判定された前記信号の前記一部分を送信することと、
を備える、前記方法。
【請求項２５】
前記第１のデバイスおよび前記第２のデバイスはそれぞれ、それぞれに対応するディスプレイ要素を含み、前記第１のデバイスの前記ディスプレイ要素は使用され、一方、前記第２のデバイスの前記ディスプレイ要素は使用されない、請求項２４に記載の方法。
【請求項２６】
前記第１のデバイスは、現在観賞されている第１のテレビジョンであり、前記第２のデバイスは、現在観賞されていない第２のテレビジョンである、請求項２５に記載の方法。
【請求項２７】
前記一部分は、データのパケットである、請求項２４に記載の方法。
【請求項２８】
前記通信ネットワークは、ホームワイヤレスネットワークである、請求項２４に記載の方法。
【請求項２９】
前記通信ネットワークは、イーサネットプロトコルおよびＭｕｌｔｉｍｅｄｉａ  ｏｖｅｒ  Ｃａｂｌｅ  Ａｌｌｉａｎｃｅプロトコルのうちの少なくとも１つを使用する、請求項２４に記載の方法。
【請求項３０】
請求項２４に記載の前記方法をコンピュータに実施させるコンピュータ可読プログラムが保存されたコンピュータ可読記憶媒体。
【請求項３１】
オーディオ、ビデオ、およびデータコンテンツのうちの少なくとも１つを含む信号を受信する受信機と、
送受信機と、
を備えた装置であって、
前記送受信機は、通信ネットワークを通じてデバイスから、受信機を使用して前記信号を受信することを求める第１の要求を受信し、前記送受信機はさらに、前記デバイスから第２の要求を受信し、前記要求は、前記通信ネットワークを通じて前記デバイスに、前記デバイスによって受信されている間に前記デバイスによって受信誤りがあると判定された、前記受信した信号の一部分を送信することを求めるものであり、前記デバイスは、放送波を経由したチャンネルで放送される前記信号を受信し、前記送受信機はまた、前記デバイスによって前記受信誤りがあると判定された前記信号の前記一部分を送信する、前記装置。
【請求項３２】
前記装置および前記デバイスはそれぞれ、それぞれに対応するディスプレイ要素を含み、前記デバイスの前記ディスプレイ要素は使用され、一方、前記装置の前記ディスプレイ要素は使用されない、請求項３１に記載の装置。
【請求項３３】
前記装置は、現在観賞されていない第１のテレビジョンであり、前記デバイスは、現在観賞されている第２のテレビジョンである、請求項３２に記載の方法。
【請求項３４】
前記一部分は、データのパケットである、請求項３１に記載の装置。
【請求項３５】
前記通信ネットワークは、ホームワイヤレスネットワークである、請求項３１に記載の装置。
【請求項３６】
前記通信ネットワークは、イーサネットプロトコルおよびＭｕｌｔｉｍｅｄｉａ  ｏｖｅｒ  Ｃａｂｌｅ  Ａｌｌｉａｎｃｅプロトコルのうちの少なくとも１つを使用する、請求項３１に記載の方法。
【手続補正２】
【補正対象書類名】明細書
【補正対象項目名】００６４
【補正方法】変更
【補正の内容】
【００６４】
以上、説明に役立つ実施形態について、添付の図面を参照して本明細書で説明してきたが、本原理は、まさにそれらの実施形態に限定されず、本原理の範囲または趣旨から逸脱することなく、当業者によってそれらにさまざまな変更および修正が行われてよいことを理解されたい。かかる全ての変更および修正は、添付の特許請求の範囲に記載の本原理の範囲内に含まれることが意図される。
［付記１］
第１のデバイスによって実施される方法であって、
信号を受信するステップ（４１０）であって、前記信号は、放送波を経由したチャンネルで放送されるオーディオ、ビデオ、およびデータコンテンツのうちの少なくとも１つを含む、前記受信するステップ（４１０）と、
プロセッサーを使用して、前記受信した信号の一部分に誤りが存在するかどうかを判定するステップ（４５０）と、
前記受信した信号に誤りが存在すると判定された場合、通信ネットワークを通じて第２のデバイスに要求を送信するステップ（４６０）であって、前記第２のデバイスは、前記第１のデバイスに前記通信ネットワークを通じて接続されており、前記信号を受信もし、前記要求は、前記第２の受信機から送られるべき前記信号の一部分を特定するものである、前記送信するステップ（４６０）と、
前記受信した信号の前記一部分を、前記第２のデバイスから送られる前記信号の前記一部分と置き換えるステップ（４８０）と、
を含む、前記方法。
［付記２］
前記通信ネットワークを経由して前記第２のデバイスに対して通信リンクを形成するステップ（４２０）であって、前記第２のデバイスは、前記放送信号を受信することが可能である、前記形成するステップ（４２０）をさらに備えた、付記１に記載の方法。
［付記３］
前記第２のデバイスが前記放送チャンネルを受信するのに利用可能かどうかを判定するステップ（４３０）をさらに備える、付記２に記載の方法。
［付記４］
前記放送チャンネルを受信するのに利用可能であると判定された前記第２のデバイスに応答して、前記放送チャンネルに同調してそれを受信することを求める要求を前記第２のデバイスに送信するステップ（４４０）をさらに備える、付記３に記載の方法。
［付記５］
前記第２のデバイスは、別の方法を使用して前記放送チャンネルを受信する、付記１に記載の方法。
［付記６］
前記別の方法は、別のアンテナを使用することを含む、付記５に記載の方法。
［付記７］
前記一部分は、データのパケットである、付記１に記載の方法。
［付記８］
前記通信ネットワークは、ホームワイヤレスネットワークである、付記１に記載の方法。
［付記９］
前記通信ネットワークは、イーサネットプロトコルおよびＭｕｌｔｉｍｅｄｉａ  ｏｖｅｒ  Ｃａｂｌｅ  Ａｌｌｉａｎｃｅプロトコルのうちの少なくとも１つを使用する、付記１に記載の方法。
［付記１０］
前記第２のデバイスは、前記第１のデバイスが位置付けられているユーザの家の外側に位置付けられる、付記１に記載の方法。
［付記１１］
前記第１のデバイスは、現在観賞されている第１のテレビジョンであり、前記第２のデバイスは、現在観賞されていない第２のテレビジョンである、付記１に記載の方法。
［付記１２］
実行されると付記１に記載の前記ステップをコンピュータに実施させるコンピュータ可読プログラムを有形に具現化する、非一時的な製品。
［付記１３］
信号を受信するための受信機回路（３０２）であって、前記信号は、オーディオ、ビデオ、およびデータコンテンツのうちの少なくとも１つを含み、前記信号は、放送波を経由したチャンネルで放送される、前記受信機回路（３０２）と、
前記受信機回路（３０２）に結合されたロス検出器および置換器（３０６）であって、前記受信した信号の一部分に誤りが存在するかどうかを判定する、前記ロス検出器および置換器（３０６）と、
前記ロス検出器および置換器（３０６）に結合された送受信機回路（３１０）であって、前記受信した信号内に誤りが存在すると判定された場合、通信ネットワークを通じてデバイスに要求を送信し、前記要求は、前記デバイスから送られるべき前記信号の一部分を特定するものである、前記送受信機回路（３１０）と、
を備えた装置であって、
前記ロス検出器および置換器（３０６）は、前記受信した信号の前記一部分を、前記デバイスから送られる前記信号の前記一部分と置き換える、前記装置。
［付記１４］
前記送受信機回路（３１０）は、前記通信ネットワークを経由して前記デバイスに対して通信リンクを形成し、前記デバイスは、前記信号を受信することが可能である、付記１３に記載の装置。
［付記１５］
前記デバイスが前記信号を受信するのに利用可能かどうかを判定するプロセッサーをさらに備える、付記１４に記載の装置。
［付記１６］
前記送受信機回路（３１０）は、前記デバイスが前記信号を受信するのに利用可能であるという判定に応答して、前記信号に同調してそれを受信することを求める要求を前記デバイスに送信する、付記１５に記載の装置。
［付記１７］
前記デバイスは前記信号を、前記装置とは別の方式で受信する、付記１３に記載の装置。
［付記１８］
前記デバイスは前記信号を、別のアンテナを使用して受信する、付記１７に記載の装置。
［付記１９］
前記一部分は、データのパケットである、付記１３に記載の装置。
［付記２０］
前記通信ネットワークは、ホームワイヤレスネットワークである、付記１３に記載の装置。
［付記２１］
前記通信ネットワークは、イーサネットプロトコルおよびＭｕｌｔｉｍｅｄｉａ  ｏｖｅｒ  Ｃａｂｌｅ  Ａｌｌｉａｎｃｅプロトコルのうちの少なくとも１つを使用する、付記１３に記載の装置。
［付記２２］
前記第２のデバイスは、前記第１のデバイスが位置付けられているユーザの家の外側に位置付けられる、付記１３に記載の装置。
［付記２３］
前記装置は、現在観賞されている第１のテレビジョンであり、前記デバイスは、現在観賞されていない第２のテレビジョンである、付記１３に記載の装置。
［付記２４］
通信ネットワークを通じて第１のデバイスに接続された第２のデバイスによって実施される方法であって、
前記第１のデバイスから、信号を受信することを求める第１の要求を受信するステップ（５３０）であって、前記信号は、オーディオ、ビデオ、およびデータコンテンツのうちの少なくとも１つを含む、前記受信するステップ（５３０）と、
前記第１のデバイスから第２の要求を受信するステップ（５４０）であって、前記要求は、前記第２のデバイスが前記第１のデバイスに、前記第１のデバイスによって受信されている間に前記第１のデバイスによって受信誤りがあると判定された、前記受信した信号の一部分を送信することを求めるものであり、前記第１のデバイスは、放送波を経由したチャンネルで放送される前記信号を受信する、前記受信するステップ（５４０）と、
前記第１のデバイスによって前記受信誤りがあると判定された前記信号の前記一部分を送信するステップ（５５０）と、
を備える、前記方法。
［付記２５］
前記第１のデバイスおよび前記第２のデバイスはそれぞれ、それぞれに対応するディスプレイ要素を含み、前記第１のデバイスの前記ディスプレイ要素は使用され、一方、前記第２のデバイスの前記ディスプレイ要素は使用されない、付記２４に記載の方法。
［付記２６］
前記第１のデバイスは、現在観賞されている第１のテレビジョンであり、前記第２のデバイスは、現在観賞されていない第２のテレビジョンである、付記２５に記載の方法。
［付記２７］
前記一部分は、データのパケットである、付記２４に記載の方法。
［付記２８］
前記通信ネットワークは、ホームワイヤレスネットワークである、付記２４に記載の方法。
［付記２９］
前記通信ネットワークは、イーサネットプロトコルおよびＭｕｌｔｉｍｅｄｉａ  ｏｖｅｒ  Ｃａｂｌｅ  Ａｌｌｉａｎｃｅプロトコルのうちの少なくとも１つを使用する、付記２４に記載の方法。
［付記３０］
実行されると付記２４に記載の前記ステップをコンピュータに実施させるコンピュータ可読プログラムを有形に具現化する、非一時的な製品。
［付記３１］
オーディオ、ビデオ、およびデータコンテンツのうちの少なくとも１つを含む信号を受信する受信機（３５２）と、
送受信機（３６０）と、
を備えた装置であって、
前記送受信機（３６０）は、通信ネットワークを通じてデバイスから、受信機（３５２）を使用して前記信号を受信することを求める第１の要求を受信し、前記送受信機（３６０）はさらに、前記デバイスから第２の要求を受信し、前記要求は、前記通信ネットワークを通じて前記デバイスに、前記デバイスによって受信されている間に前記デバイスによって受信誤りがあると判定された、前記受信した信号の一部分を送信することを求めるものであり、前記デバイスは、放送波を経由したチャンネルで放送される前記信号を受信し、前記送受信機（３６０）はまた、前記デバイスによって前記受信誤りがあると判定された前記信号の前記一部分を送信する、前記装置。
［付記３２］
前記装置および前記デバイスはそれぞれ、それぞれに対応するディスプレイ要素を含み、前記デバイスの前記ディスプレイ要素は使用され、一方、前記装置の前記ディスプレイ要素は使用されない、付記３１に記載の装置。
［付記３３］
前記装置は、現在観賞されていない第１のテレビジョンであり、前記デバイスは、現在観賞されている第２のテレビジョンである、付記３２に記載の方法。
［付記３４］
前記一部分は、データのパケットである、付記３１に記載の装置。
［付記３５］
前記通信ネットワークは、ホームワイヤレスネットワークである、付記３１に記載の装置。
［付記３６］
前記通信ネットワークは、イーサネットプロトコルおよびＭｕｌｔｉｍｅｄｉａ  ｏｖｅｒ  Ｃａｂｌｅ  Ａｌｌｉａｎｃｅプロトコルのうちの少なくとも１つを使用する、付記３１に記載の方法。